(57)【要約】      （修正有）【課題】照明装置である管体の内部にインバータ装置等を配置させた自己完結型の構造を採用するとともに、複数の単管の冷陰極発光体を連続的な略線状になるように配置可能とした照明装置を提供する。【解決手段】管本体の両端部にそれぞれ給電用の端子１９が設けられるとともに、前記管本体の内部を長手方向に上下方向に仕切る仕切体１８の下部に、発光部Eと該発光部Eの両端部に設けられた端子部（リード線）とを有する略線状をなす冷陰極発光体７，７‘を配置して構成される照明装置であって、前記仕切体１８の上部には１対の導電ユニット５A、５Bが配置され、かつ１対の冷陰極発光体７，７‘が前記管本体の両端部からそれぞれ対向するように略平行に延設されている。【選択図】図２
2012185983.tif 000002
【特許請求の範囲】
【請求項１】
管本体の両端部にそれぞれ給電用の端子が設けられるとともに、前記管本体の内部を長手方向に上下方向に仕切る仕切体の下部に、発光部と該発光部の両端部に設けられた端子部とを有する略線状をなす冷陰極発光体を配置して構成される照明装置であって、
前記仕切体の上部には１対の導電ユニットが配置され、かつ１対の冷陰極発光体が前記管本体の両端部からそれぞれ対向するように略平行に延設されるとともに、両対の対向近接位置で互いの一端端子部が結線され、かつ前記１対の冷陰極発光体の他端端子部がそれぞれ前記１対の導電ユニットの何れかに接続され、さらに前記両導電ユニットはそれぞれ前記両端部に位置する給電用の端子に接続されていることを特徴とする照明装置。
【請求項２】
前記両対の冷陰極発光体として用いられる各単体の冷陰極発光体は、４本全てが略同長尺の発光体であることを特徴とする請求項１に記載の照明装置。
【請求項３】
互いに結線される１対の冷陰極発光体の端子部において、前記端子部と前記結線部が絶縁性を有する被覆体により被覆されることを特徴とする請求項１または２に記載の照明装置。
【請求項４】
冷陰極発光体の端子部及び結線部を被覆する被覆体と、対向する他の端子部及び結線部を被覆する被覆体とは、それぞれ個別の被覆体として構成されていることを特徴とする請求項３に記載の照明装置。
【請求項５】
前記管本体の上部が筒状体となっており、該筒状体の底板部が前記仕切体を構成しており、前記両導電ユニットは前記筒状体の両端部の開口近傍に配置されていることを特徴とする請求項１ないし４のいずれかに記載の照明装置。
【発明の詳細な説明】
【技術分野】
【０００１】
本発明は、照明装置に関し、特に冷陰極発光体を採用した照明装置に関する。
【背景技術】
【０００２】
従来の照明装置としては、一般的には、主にガス放電により発光する蛍光ランプ管が多く採用されていたが、近年では、発光効率が高くかつ使用寿命が長い冷陰極蛍光ランプ（冷陰極発光体）を用いた照明装置が採用されるようになりつつある。このような冷陰極蛍光ランプでは、線状をなす発光部の両端に電極（端子部）を備えている（例えば、特許文献１参照）。
【０００３】
また、発光効率が高くかつ使用寿命が長い冷陰極蛍光管（冷陰極発光体）を利用して、恰も従来の蛍光ランプ管と同様な使用形態で利用でき、広い領域を照明できる照明装置がある（例えば、特許文献２及び３参照）。このような照明装置では、非発光の部位である冷陰極蛍光管の電極（端子部）が口金等により隠蔽されている。
【０００４】
特に特許文献３及び４においては、自己完結型として照明装置の機能を向上させた発明であり、これらは照明装置としての管体の内部にインバータ装置を配置させる構造を採っている。
【先行技術文献】
【特許文献】
【０００５】
【特許文献１】特開平９−１４７８０２号公報（第３頁、第１図）
【特許文献２】特開２００８−２１０８０４号公報（第５頁、第２図）
【特許文献３】特開２００９−１４６６２２号公報（第５頁、第１図）
【特許文献４】特開２０１０−２０５４９０号公報
【発明の概要】
【発明が解決しようとする課題】
【０００６】
上述した冷陰極蛍光管（冷陰極発光体）が蛍光ランプ管の代替品として置き換わる傾向から、近年において長寸法の蛍光ランプ管（例えば一般に１１０ワット蛍光灯と呼ばれる）に代わる冷陰極蛍光管（冷陰極発光体）を用いた照明装置を求める需要者が増えている。上記した特許文献１〜３に記載の照明装置においては、標準蛍光ランプ管（例えば一般に２０、４０ワット蛍光灯と呼ばれる）を製造する場合は、１．２メートル程度の冷陰極蛍光管（冷陰極発光体）の単管を利用できるため、取り扱い時に破損の心配はない。
【０００７】
しかし、長寸法の蛍光ランプ管（例えば一般に１１０ワット蛍光灯と呼ばれる）を冷陰極蛍光管（冷陰極発光体）の単管で製造するとなると、冷陰極蛍光管（冷陰極発光体）の長さが２．５メートル程度になり、１人の作業員では持つ位置によって撓み、破損してしまう欠点がある。また長い冷陰極蛍光管（冷陰極発光体）は取り扱いが煩雑であるばかりか、大量生産には不向きである。したがって複数の単管の冷陰極発光体を連続的な略線状になるように配置して、比較的長寸法の照明装置を製造する必要がある。
【０００８】
本発明は、このような問題点に着目してなされたもので、照明装置である管体の内部にインバータ装置等を配置させた自己完結型の構造を採用するとともに、複数の単管の冷陰極発光体を連続的な略線状になるように配置可能とした照明装置を提供することを目的とする。
【課題を解決するための手段】
【０００９】
前記課題を解決するために、本発明の照明装置は、
管本体の両端部にそれぞれ給電用の端子が設けられるとともに、前記管本体の内部を長手方向に上下方向に仕切る仕切体の下部に、発光部と該発光部の両端部に設けられた端子部とを有する略線状をなす冷陰極発光体を配置して構成される照明装置であって、
前記仕切体の上部には１対の導電ユニットが配置され、かつ１対の冷陰極発光体が前記管本体の両端部からそれぞれ対向するように略平行に延設されるとともに、両対の対向近接位置で互いの一端端子部が結線され、かつ前記１対の冷陰極発光体の他端端子部がそれぞれ前記１対の導電ユニットの何れかに接続され、さらに前記両導電ユニットはそれぞれ前記両端部に位置する給電用の端子に接続されていることを特徴としている。
この特徴によれば、仕切体の下部において両対の冷陰極発光体の対向近接位置で互いの一端端子部を結線するとともに、１対の冷陰極発光体の他端端子部、仕切体上部に配置された１対の導電ユニット、そして管本体の両端部に位置する給電用の端子を効果的に結線配置できるため、管体の内部にインバータ装置等を配置させた自己完結型の構造を照明装置として採用できるとともに、複数の単管の冷陰極発光体が連続的な略線状になるように配置可能にできることになる。
【００１０】
本発明の照明装置は、
前記両対の冷陰極発光体として用いられる各単体の冷陰極発光体は、４本全てが略同長尺の発光体であることを特徴としている。
この特徴によれば、管本体の両端部から延びる両対の冷陰極発光体の対向近接位置が、長手方向ほぼ中心に自動的に定まることになり、結果的に、両対の対向近接位置に現れる非発光部をほぼ中心位置に配置でき、非発光部の位置する左右のバランスがよくなるため製品価値を高められる。
【００１１】
本発明の照明装置は、
互いに結線される１対の冷陰極発光体の端子部において、前記端子部と前記結線部が絶縁性を有する被覆体により被覆されることを特徴としている。
この特徴によれば、端子部及び結線部が、対向する他の端子部及び結線部と電気的に絶縁されることになり、冷陰極発光体の回路の短絡を防止できるばかりか、対向する両対の先端部を回路の短絡を心配することなく可能な限り近接配置できることになる。
【００１２】
本発明の照明装置は、
冷陰極発光体の端子部及び結線部を被覆する被覆体と、対向する他の端子部及び結線部を被覆する被覆体とは、それぞれ個別の被覆体として構成されていることを特徴としている。
この特徴によれば、両被覆体がそれぞれ分離しているため、冷陰極発光体の端子部及び結線部と、これに対向する他の端子部及び結線部との位置関係が拘束されず、大気温度の変化や、照明装置や冷陰極発光体から発生する熱などにより発生する管本体や冷陰極発光体の長さ変化を吸収できるため、照明装置破壊や変形を効果的に防止できる。
【００１３】
本発明の照明装置は、
前記管本体の上部が筒状体となっており、該筒状体の底板部が前記仕切体を構成しており、前記両導電ユニットは前記筒状体の両端部の開口近傍に配置されていることを特徴としている。
この特徴によれば、照明装置の取り付け時などに生じる管本体に働く捻り力に対して、筒状体が変形を抑制し、効果的に長い管本体のねじり変形を防止できるばかりか、導電ユニットの取り付け位置が開口近傍のため設置作業が容易になる。更にインバータなどが発生する熱は左右端部に均等に発生し、両端部から次第に中央よりに伝わるため、導電ユニットを一個使用する場合に比較して管本体の長手方向にもたらされる極端な温度差、即ち温度傾斜を低減でき、冷陰極発光体の使用耐久性を向上できる。
【図面の簡単な説明】
【００１４】
【図１】実施例１における照明装置を示す斜視図である。
【図２】照明装置を示す分解斜視図である。
【図３】照明装置を示す横断底面図である。
【図４】照明装置を示す図１におけるＡ−Ａ断面図である。
【図５】冷陰極発光体の結線部と保持体を示す分解斜視図である。
【図６】照明装置の電気回路を示す概念図である。
【図７】照明装置の電気回路を示す分解斜視図である。
【図８】照明装置に用いられる発光体保持片を示す斜視図である。
【図９】発光体保持片を示す正面図である。
【図１０】実施例２における照明装置を示す斜視図である。
【図１１】発光部が折り曲げられた冷陰極発光体を示す側面図である。
【図１２】実施例２における照明装置の図１０におけるＡ−Ａ断面図である。
【図１３】実施例２における照明装置の横断底面図である。
【図１４】冷陰極発光体の結線部と保持体を示す分解斜視図である。
【図１５】筒状体の仕切体と光反射部材と冷陰極発光体を示す分解斜視図である。
【発明を実施するための形態】
【００１５】
本発明に係る照明装置を実施するための形態を実施例に基づいて以下に説明する。
【実施例１】
【００１６】
実施例１に係る照明装置につき、図１から図９を参照して説明する。図１の符号３は、本発明の適用された照明装置である。照明装置３は、一般の直線状の蛍光ランプ管の使用方法と同様に、既存の蛍光ランプ管の灯具に設けられる２つのソケットの間に取り付けて適用され、照明装置３を蛍光ランプ管の代わりに利用できるようになっている。
【００１７】
図１及び図２に示すように、照明装置３は、直線的な中空の管状をなす管本体４を有し、この管本体４の内部には、略直線状をなす４本の冷陰極発光体７（Cold Cathode Fluorescent Lamp，略称ＣＣＦＬ）が被覆体６３，６３を介して配置されるとともに、主にインバータとＰＦＣからなる制御装置である導電ユニット５が固定されている。
【００１８】
図２に示すように、管本体４は、その下部に配置される断面略Ｕ字状の光透過部材９と、その上部に配置される放熱性の高い材料で構成される筒状体１０と、により構成されている。また、筒状体１０の底面板部が管本体４の内部を上下方向に仕切る仕切体１８となっている。
【００１９】
また、筒状体１０の内部には、インバータを含む制御装置である導電ユニット５がケース体５５に収納された状態で仕切体１８の両端部にそれぞれ内装固定されている。このケース体５５は、利用者等が容易に導電ユニット５に触れられないように遮蔽機能を有している。尚、筒状体１０の内部空間は、この導電ユニット５の他に後述する配線も通される収納部６１となっている（図４）。
【００２０】
図２に示すように、管本体４の光透過部材９は、断面視で略Ｕ字状をなしており、主として合成樹脂からなる半透明の本発明における透過部としての光透過部材９から構成されている。この光透過部材９と筒状体１０の仕切体１８とで囲まれる空間は、冷陰極発光体７が配置される照明部６２となっている（図４）。
【００２１】
図２に示すように、仕切体１８の下面側、即ち長手方向に延設された冷陰極発光体７の上方には、光透過部材９に向けて冷陰極発光体７の光を反射する本発明における反射面としての光反射部材３０が設けられる。この光反射部材３０は、冷陰極発光体７に沿って設けられている。
【００２２】
筒状体１０は、放熱性の高い材料、例えばアルミ素材等で構成され、抜き出し成型により製造される断面非円形の長尺材を用いて形成されており、筒状体１０の底面板が仕切体１８としての機能を有している。
【００２３】
また、光透過部材９は、抜き出し成型により製造される長尺材を所定の長さで切断して形成され、その断面が略Ｕ字状をなし、このＵ字状の両上端部に内向きの爪部１６を有する。光透過部材９は透明もしくは乳白色の透光性の合成樹脂が主に用いられるが、種々のカラーが適用されることもある。光透過部材９は冷陰極発光体７からの光を散乱させるために、光透過部材９の内側面は、凹凸状の光散乱面（図示略）に加工されている。
【００２４】
筒状体１０の側部には、長手方向に走る溝１４が設けられ、この溝１４は光透過部材９の断面略Ｕ字状の両上端部に内向きに延びている爪部１６と係合可能となっている。尚、筒状体１０の溝１４に対して、光透過部材９の爪部１６を長手方向から、もしくは光透過部材９の弾性を利用して上下方向から嵌合することにより、筒状体１０と光透過部材９とが連結される（図１及び図４参照）。
【００２５】
このように溝方向においてのみ両者の相対移動が許容されるため、筒状体１０と光透過部材９は、上下方向に分離し難い構造でありながら、照明装置３のメンテナンス時など、両者の長手方向の相対移動で照明部６２内にアクセスが可能となり、特に照明部６２内に侵入した虫などの掃除が容易となる。また、光透過部材９は長手方向に複数個に分断されていてもよく、複数個に分断されていることで、照明装置３の組立や照明装置３のメンテナンスがより容易になるばかりか、光透過部材９の万一の破損時にも、破損箇所のみの交換で済むことになる。
【００２６】
図２に示すように、筒状体１０の両端に取り付けられる端縁封止体８には、端縁封止体８の横断面形状より小さい横断面形状の頭部１１が設けられている。両頭部１１は同一形状の円筒状凸部であって、端縁封止体８の一部となるように一体に形成されている。このように頭部１１が端縁封止体に一体に形成されているため、管本体４の灯具取り付け時や使用時において、頭部１１にかかる負荷に対する強度を向上できることになる。
【００２７】
また、端縁封止体８は、これを貫通するように２本の電極５２が設けられ、２本の電極５２の頭部１１により外側に突出する部分は、既存の蛍光ランプ管用ソケット（図示略）に挿入される。また、２本の電極５２の内側に延びる部分は、後述するように集中端子１９に接続され、導電ユニット５に接続されることになる。
【００２８】
更に、端縁封止体８の裏面側には、裏面側に延びる係止爪１３が設けられており、筒状体１０の側面に形成されている係止溝６に、この係止爪１３が圧入係止されることにより、端縁封止体８がワンタッチで筒状体１０の両端に取り付けられることになる。
【００２９】
即ち、長手方向両端を端縁封止体８で固定するのみで、筒状体１０と光透過部材９との溝方向の両者の相対移動を阻止し、図１に示される強固な照明装置３を構成できる。また、端縁封止体８には、前述した２本の電極５２が設けられているため、組み付けと同時に電極を備えた管本体４が得られることになる。
【００３０】
さらに、端縁封止体８の下方部には、端縁封止体８を管本体４に取り付けた際に、光透過部材９の端部下方部分を外側から覆うカバー部１２が延設されている。したがって、照明装置３の端部に衝撃があっても、このカバー部１２により、光透過部材９の端部への直接的な衝撃が回避され、光透過部材９の破損を防止できる。また、端縁封止体８を貫通する２本の電極５２は、インバータを含む制御装置である導電ユニット５が内装された筒状の管本体４の内部に臨むように延設されているため、２本の電極５２と導電ユニット５との接続が容易に行える。
【００３１】
このように管本体４の上部が筒状体１０となっているために強度が高く、照明装置３の取り付け時などに生じる管本体４に働く捻り力に対して、筒状体１０が変形を抑制し、効果的に管本体４のねじり変形を防止するように働く。また、導電ユニット５から発生する熱は、放熱性の高い材料で構成された導電ユニット５を取り囲む筒状体１０により効果的に放熱されることになる。
【００３２】
次に、冷陰極発光体７，７‘と被覆体６３の組み付けの構造について図５を参照して説明する。図５に示すように２本の冷陰極発光体７，７‘が略平行に配置され、それぞれの端子部７ｂ、７ｂから延びるリード線７ｃ、７ｃが接続部材６４によって結線される。
【００３３】
尚、端子部７ｂ、７ｂから延びるリード線７ｃ、７ｃ同士が結線部６５により結線されることで、端子部７ｂ、７ｂ同士が互いの動きを拘束することになるため、冷陰極発光体７，７‘を照明部６２内で安定して固定できる。
【００３４】
また、接続部材６４は、両端部に孔部６４ａが形成されており、この各孔部６４ａにリード線７ｃが挿通され、ハンダ付けにより接合されることで２本の冷陰極発光体７，７‘は電気的に接続される。更に、他方の端子部７ｂ、７ｂから延びるリード線７ｃ、７ｃは、筒状体１０内、即ち収納部６１に設置される導電ユニット５にそれぞれ接続されている。尚、この接続部材６４を導線で代用し、リード線７ｃと導線を直接ハンダ付けするようにしてもよい。このように、絶縁材から成る被覆体６３で２本の冷陰極発光体７、７‘の端子部７ｂ、７ｂを被覆させることで、リード線７ｃと接続部材６４からなる結線部６５の電気的接続部を一体に保護することができる。
【００３５】
そのため、端子部７ｂ、７ｂ及び結線部６５が、対向する他の端子部７ｂ、７ｂ及び結線部６５と電気的に絶縁されることになり、冷陰極発光体７、７‘の回路の短絡を防止できるばかりか、対向する両対（冷陰極発光体７，７‘と冷陰極発光体７，７‘）の先端部を回路の短絡を心配することなく可能な限り近接配置できることになる。
【００３６】
図６、７には、内部の配線構造が示されており、仕切体１８の上部には１対の導電ユニット５A、５Bが配置され、かつ１対の冷陰極発光体７，７‘が前記管本体４の両端部からそれぞれ対向するように略平行に延設されている。そして両対（冷陰極発光体７，７‘と冷陰極発光体７，７‘）の対向近接位置で互いの一端端子部（リード線７ｃ）が接続部材６４によって前述のように結線され、かつ前記１対の冷陰極発光体７，７‘の他端端子部（リード線７ｃ）がそれぞれ前記１対の導電ユニット５A、５Bの何れかに接続され、さらに前記両導電ユニット５A、５Bはそれぞれ前記両端部に位置する給電用の端子（集中端子１９A、１９B）に接続されている。該導電ユニット５A、５Bは、端子（集中端子１９A、１９B）から給電された電力を内蔵するインバータなどで電圧調整及び周波数変更を行い、接続されている冷陰極発光体７，７‘を発光させる。
【００３７】
このように、仕切体１８の下部において両対の冷陰極発光体７，７‘の対向近接位置で互いの一端端子部（リード線７ｃ）が結線されるとともに、１対の冷陰極発光体７，７‘の他端端子部（リード線７ｃ）、仕切体１８上部に配置された１対の導電ユニット５A、５B、そして管本体４の両端部に位置する給電用の端子（集中端子１９A、１９B）を効果的に結線配置できるため、管本体４の内部にインバータ装置等を配置させた自己完結型の構造を照明装置３として採用できるとともに、複数の単管の冷陰極発光体７，７‘が連続的な略線状になるように配置可能にできることになる。
【００３８】
図７の実施例のように一方の冷陰極発光体７、７‘と、他方の冷陰極発光体７、７‘とを別々の被覆体６３で被覆するようにすると、両冷陰極発光体（７，７‘と７，７‘）の互いの位置関係が切り離され、それぞれの発光体ユニット６６、６７としてユニット化することができる。このように両被覆体６３をそれぞれ分離させた構造を採ると、冷陰極発光体７、７‘の端子部７ｂ及び結線部６５と、これに対向する他の端子部７ｂ及び結線部６５との位置関係が拘束されず、大気温度の変化や、照明装置３や冷陰極発光体７から発生する熱などにより発生する管本体や冷陰極発光体７の長さ変化を吸収できるため、照明装置３の破壊や変形を効果的に防止できることになる。
【００３９】
また、インバータは図示されていないが、電極５２から得られる電圧を例えば２０〜１００ＫＨｚ、２００〜３０００Ｖに昇圧し、この高周波出力が電気的に接続された各冷陰極発光体７に印加される。インバータには高周波出力のデューティサイクルを可変する調光制御回路を付加することが好ましい。調光制御はデューティサイクルを可変する方式に限定されない。インバータは、本実施形態においては一般の自励発振型インバータであるが、実用に際してこれに限定されない。
【００４０】
また、筒状体１０には、管本体４の内側を向くように長手方向の溝１５が形成されており（図４参照）、光反射部材３０は、筒状体１０の両側から溝１５に嵌合されて設置される。そして、２つの光反射部材３０の端部が管本体４の中央部で当接する。
【００４１】
図８及び図９に示すように、発光体保持片２３は、筒状体１０に形成された長手方向の溝１５に嵌合可能な保持部２３１と、冷陰極発光体７を長手方向に向けて把持する把持部２３２と、から構成されている。また、この発光体保持片２３は、保持部２３１と把持部２３２とを連結する吊架部２３４を有し、吊架部２３４が屈伸可能になっている。
【００４２】
この発光体保持片２３は、照明部６２内を延びる冷陰極発光体７を支持し、移動時や大きな揺れに対しても照明部６２内の冷陰極発光体７を保護するようになっている。特に、照明部６２の長手方向に延びる溝１５により発光体保持片２３が支持されるため（図４参照）、溝１５の長手方向の所定位置に発光体保持片２３の設置位置を自在に変更できるようになり、筒状体１０や冷陰極発光体７の長さ条件等に応じて対処が可能となる。
【００４３】
発光体保持片２３の取り付けに際しては、吊架部２３４の屈曲と伸長とによりワンタッチで長手方向の溝１５に保持部２３１を嵌合できるばかりか、発光体保持片２３を長手方向に容易に移動できることになる。また、吊架部２３４の屈曲により長手方向の溝１５から保持部２３１を容易に外すこともできる。
【００４４】
また、図４に示すように、冷陰極発光体７の光を反射する光反射部材３０は、溝１５内において発光体保持片２３の保持部２３１により共に嵌合し、光反射部材３０は筒状体１０に確実に取り付けられている。
【００４５】
したがって発光体保持片２３を筒状体１０から取り除くと、光反射部材３０の係止が緩くなり筒状体１０から光反射部材３０が取り外しやすくなる。ただし、この実施例に限らず光反射部材３０は筒状体１０に接着剤で固定されても良いし、また筒状体１０に塗布されて構成されても良い。
【００４６】
さらには、端縁封止体８は断面非円形の筒状体１０に係合爪１３等により回転不可能に固定されている。また、筒状体は管本体４のねじり変形を防止するように働くため、管本体４の灯具への取り付け時において、端縁封止体８に設けられた頭部１１に掛かる負荷は、筒状体１０で受け止められることになり、頭部１１の破損を防止することになる。
【００４７】
このように、本実施例における長寸法の照明装置３は、４本の冷陰極発光体（７，７‘と７，７‘）は、全て同一の寸法のものが用いられているため、管本体４の両端部から延びる両対の冷陰極発光体（７，７‘と７，７‘）の対向近接位置が、長手方向ほぼ中心に自動的に定まることになり、両対の冷陰極発光体（７，７‘と７，７‘）の対向近接位置に非発光部（図示せず）が現れるが、この非発光部は、ほぼ中心位置に配置でき、非発光部の位置する左右のバランスがよくなるため製品価値を高められる。
【００４８】
尚、図３に示すように、導電ユニット５を筒状体１０の両端部に配置できるので取り付け易くなっている。また、発光体ユニット６６、６７を左右に設ける左右対称の構成にして両対の冷陰極発光体（７，７‘と７，７‘）及び導電ユニット５A、５Bをバランスよく配置することができるとともに、インバータなどが発生する熱は左右端部に均等に発生し、両端部から次第に中央よりに伝わるため、導電ユニット５を一個使用する場合に比較して管本体４の長手方向にもたらされる極端な温度差、即ち温度傾斜を低減でき、冷陰極発光体７の使用耐久性を向上できる。
【００４９】
更に、導電ユニット５は筒状体１０の収納部６１に配置されるため照明部６２を占有することがなく、冷陰極発光体７を管本体４の両端部まで延設できることになり、従来の蛍光ランプ管と同様に管本体の端部付近まで照明部として利用できることになる。
【実施例２】
【００５０】
次に、実施例２に係る照明装置につき、図１０から図１５を参照して説明する。尚、前記実施例１に示される構成部分と同一構成部分に付いては同一符号を付して重複する説明を省略する。
【００５１】
図１１に示すように、冷陰極発光体７は、その両端部に設けられた非発光の端子部７ｂを有しており、この端子部７ｂの先端には、リード線７ｃが突出される。そして、端子部７ｂ近傍の部位が上方に向けて折り曲げられて屈曲部７ｄが形成され、この屈曲部７ｄと長手の直線部７ａと短手の直線部７ｅとで、発光する発光部Ｅが構成されており、この発光部Ｅが全体として略Ｌ字状をなしている。尚、発光部Ｅにおける屈曲部７ｄの内角θは、略９０度以下（直角以下）の角度となっている。
【００５２】
次に、冷陰極発光体７，７‘と被覆体６３の組み付けの構造について図１４を参照して説明する。図１４に示すように、略Ｌ字状に折り曲げられた２本の冷陰極発光体７，７‘が略平行に配置され、上方を向くそれぞれの端子部７ｂ、７ｂから延びるリード線７ｃ、７ｃが接続部材６４によって結線されて結線部６５が構成される（図１２参照）。更に、この平行の２本の冷陰極発光体７，７‘の端子部７ｂと、他の平行の２本の冷陰極発光体７，７‘の端子部７ｂと、が隣り合うように配置される。
【００５３】
そして、結線部６５には、その上方から弾性を有するとともに絶縁性を有する合成樹脂またはゴム等の材質で形成された被覆体６３が被せられている。この被覆体６３の内部は、両端部に冷陰極発光体７，７‘のリード線７ｃと端子部７ｂと直線部７ｅの一部が嵌合される形状をなす嵌合保持部６３ｂが形成されている。尚、被覆体６３の中央部は薄く形成され、冷陰極発光体７及び接続部材６４を被覆体６３の内側に隙間なく密着させて保持できるようになっている（図１２参照）。
【００５４】
図１５に示すように、筒状体１０の仕切体１８には、その中央部に被覆体６３の横断平面形状と略同形状の２つの貫通孔１８ａが近接して配置されている。これらの貫通孔１８ａの内形は、保持体６３の外形よりも若干小さく形成されている。
【００５５】
冷陰極発光体７を管本体４内に設置する際には、２本の冷陰極発光体７を有する発光体ユニット６６、６７を２つ設け、各発光体ユニット６６、６７における上方を向く端子部７ｂを仕切体１８の貫通孔１８ａに挿通する。仕切体１８に貫通孔１８ａが予め形成されることで、管本体４内における冷陰極発光体７，７‘を容易に位置決めできる。
【００５６】
被覆体６３は弾力性を有し、貫通孔１８ａの内形は、保持体６３の外形よりも若干小さいため、被覆体６３を貫通孔１８ａにねじ込むことで、仕切体１８から被覆体６３に圧力が加わり、被覆体６３が仕切体１８の貫通孔１８ａの内側面に締め付けられることで固定されるようになっている。
【００５７】
尚、被覆体６３の両端の下部には、外方に突出するストッパー６３ａが形成されており、被覆体６３を貫通孔１８ａに挿通する際に、被覆体６３はストッパー６３ａが仕切体１８に当接するようになっており、このストッパー６３ａによって仕切体１８に対する被覆体６３の上下方向の位置決めが可能になっている（図１２参照）。
【００５８】
更に尚、屈曲部７ｄは、端子部７ｂ近傍の発光部Ｅを折り曲げて形成されており、端子部７ｂに被せられた被覆体６３の下方には、上下方向を向く直線部７ｅが露出するようになっている。そのため冷陰極発光体７，７‘を管本体４に取り付けた際に、屈曲部７ｄから水平方向に延設された直線部７ａは、照明部６２内で仕切体１８から離れた位置で保持される（図１２参照）。
【００５９】
図１５に示すように、４本の冷陰極発光体（７，７‘と７，７‘）の各端子部７ｂは、仕切体１８の貫通孔１８ａに下方から挿通されて被覆体６３によって固定されている。そして、各端子部７ｂは、筒状体１０の仕切体１８の上方、即ち収納部６１に配置されるため、非発光の端子部７ｂが照明部６２から離間させた位置に設けられ、照明部６２には、直線部７ｅの一部と屈曲部７ｄと直線部７ａとが配置されるようになる（図１２参照）。
【００６０】
このように、２つの発光体ユニット６６の被覆体６３を近接して配置することで、同一直線上に並ぶ２本の冷陰極発光体７、‘７の屈曲部７ｄ同士、即ち発光部Ｅ同士が近接されるようになり、発光斑を生じることを防止し、恰も１本の長寸法の冷陰極発光体７の発光部Ｅに見えるように全体的に均一に発光させることができる。
【００６１】
また、筒状体１０には、管本体４の内側を向くように長手方向の溝１５が形成されており（図１２参照）、光反射部材３０は、筒状体１０の両側から溝１５に嵌合されて設置される。そして、２つの光反射部材３０の端部が管本体４の中央部で当接するとともに、端部に形成された半楕円部３０ａには、冷陰極発光体７、‘７の直線部７ｅが配置され、光反射部材３０の反射面に、発光部Ｅの端子部７ｂ近傍の直線部７ｅが直交された状態で配置される。
【００６２】
そのため、冷陰極発光体７、‘７の直線部７ｅと光反射部材３０の半楕円部３０ａとの間に、隙間がほとんどない状態となり、（図１１参照）、冷陰極発光体７、‘７の光を光透過部材９に向けて一様に反射させることができる。尚、冷陰極発光体７、‘７の直線部７ａの支持には、透明な合成樹脂等の材質で形成された発光体保持片２３が用いられる。
【００６３】
また、図１５に示すように、収納部６１には、冷陰極発光体７の端子部７ｂが配置されているが、端子部７ｂに被せられた保持体６３は絶縁性を有するため、収納部６１に配線が通っていても、結線部６５は保持体６３によって保護され、電気的な影響を受けないようになり、冷陰極発光体７の回路構成の短絡等を防止できる。
【００６４】
以上、本発明の実施例を図面により説明してきたが、具体的な構成はこれら実施例に限られるものではなく、本発明の要旨を逸脱しない範囲における変更や追加があっても本発明に含まれる。
【符号の説明】
【００６５】
３                照明装置
４                管本体
７                冷陰極発光体
７ａ              直線部
７ｂ              端子部
７ｃ              リード線
７ｄ              屈曲部
７ｅ              直線部
９                光透過部材
１０              筒状体
１８              仕切体
１８ａ            貫通孔
３０，３０’      光反射部材
６３              被覆体
６５              結線部
Ｅ                発光部
【図１】
2012185983.tif 000003
【図２】
2012185983.tif 000004
【図３】
2012185983.tif 000005
【図４】
2012185983.tif 000006
【図５】
2012185983.tif 000007
【図６】
2012185983.tif 000008
【図７】
2012185983.tif 000009
【図８】
2012185983.tif 000010
【図９】
2012185983.tif 000011
【図１０】
2012185983.tif 000012
【図１１】
2012185983.tif 000013
【図１２】
2012185983.tif 000014
【図１３】
2012185983.tif 000015
【図１４】
2012185983.tif 000016
【図１５】
2012185983.tif 000017